(57)【要約】  着色装置は、第１の色の液体または染料を含む吸収先端を含むハウジングを有する第１マーカーペンと、第２の色の液体または染料を含む吸収先端を含むハウジングを有する第２マーカーペンとを含む。複数のマーカーペンの複数のハウジングは、相互に間隔をあけて配置されるそれらの複数の吸収先端で、管状連結部材の対向する複数の端部に係合するような大きさおよび形状を有している。連結部材内部の所定の位置にある間、相対移動が、複数のペンの間で行われることを可能にし、それによって、複数の吸収先端が、連結部材内部で、互いに選択的に接触するようにさせ、複数の吸収先端を、そのような接触から解除させるために手段を設ける。
2008526542.tif 000002
【特許請求の範囲】
【請求項１】
第１マーカーペンから第２マーカーペンに液体または染料を運ぶための装置であって、
第１マーカーペンの先端を含む端部と係合するような形状および大きさを有する一端と、第２マーカーペンの先端を含む端部と係合するような形状および大きさを有する他端とを有する管状連結部材であって、前記第１および第２マーカーペンの端部が、前記連結部材のそれぞれの端部内に係合するとき、マーカーペンの前記先端が、相互に間隔をあけて配置されるような長さを有しているところの連結部材と、
前記マーカーペンが連結部材内の所定位置に置かれているとき、ペン間の相対移動を許容して、第１に、前記ペンの間の距離を短くし、そして、ペンの先端を相互に接触させて、液体または染料がその間を通過することを許容し、第２に、複数の前記ペンをそれぞれの最初の位置に戻し、そして、ペンの先端を、相互の接触から解放するための手段と
を含む装置。
【請求項２】
前記液体が半透明な液体を含む、請求項１に記載の装置。
【請求項３】
前記染料が、着色染料または分散性顔料を含む水性インジケータインクを含む、請求項１または２に記載の装置。
【請求項４】
前記マーカーペンの先端が繊維性材料から形成される、請求項１から３のいずれか１つに記載の装置。
【請求項５】
マーカーペンの先端が、比較的曲がらない材料から形成される、請求項１から３のいずれか１つに記載の装置。
【請求項６】
第１の色の液体または染料を含む吸収先端を含むハウジングを有する第１マーカーペンと、第２の色の液体または染料を含む吸収先端を含むハウジングを有する第２マーカーペンを含む着色装置であって、
前記第１および第２マーカーペンの前記ハウジングは、管状の連結部材の両端部が、相互に間隔をあけて配置されたそれぞれの吸収先端と係合するような形状および大きさを有しており、
前記マーカーペンが前記連結部材内の所定位置に置かれているとき、ペン間の相対移動を許容して、それぞれの前記吸収先端が、前記連結部材内で相互に接触すること、および、前記吸収先端を、前記接触から解放させることを選択的に行なうための手段
を含む着色装置。
【請求項７】
前記連結部材は、
各開放端において、前記吸収先端を受けるような大きさを有するキャップであって、受け入れられたマーカーペンの末端部の外壁と接触する、前記キャップの内壁で、マーカーペンの末端部を結合するところのキャップと、
前記マーカーペンがそれぞれの前記キャップ内に保持されるとき、前記吸収先端がその中に突出する２つの前記キャップ間に配置される管状ハウジングと
を有しており、
前記連結部材は、前記複数の吸収先端が最初は前記ハウジング内で相互に間隔をあけて配置されるが、前記手段の操作により、相互に接触して配置されるような全長を有している、請求項６に記載の装置。
【請求項８】
各キャップは、前記キャップの長手方向軸に対して垂直または傾斜した平面内に位置する周辺部スロットにより分離された２つのキャップ区画部を含み、前記キャップ区画部は、前記キャップの側壁内に形成された開口のマージン内で、そこから間隔を置いて配置された少なくとも１つの脚によって結合されており、前記開口は、前記キャップの前記長手方向軸にほぼ平行に、または傾斜して位置する平面内に位置しており、結合するキャップ区画部に対する１つのキャップ区画部の運動により、前記キャップの高さを低くする効果を有しており、これによって、前記周辺部スロットの深さと実質的に等しい距離だけ、ハウジング内に突出するように、マーカーペンを前記キャップ内に保持することを許容するように構成された、請求項７に記載の装置。
【請求項９】
着色装置の複数のマーカーペンを受けるための実質的に円筒形で、細長い開放端型の連結部材であって、前記連結部材は、
その複数の開放端の各々で、吸収先端を受ける、そして、マーカーペンの末端部を結合するような大きさを有するキャップと、
複数のマーカーペンが前記キャップ内に保持されるとき、使用時に、前記吸収先端が突出する、２つのキャップの間に配置された管状ハウジングと
を含み、
各キャップが、前記キャップの長手方向軸に対して垂直または傾斜した平面上に位置し、そして、前記キャップの周辺部の主要部分の周りに延びるスロットによって分離された２つのキャップ区画部を含み、これによって前記キャップ区画部が、前記スロット内に配置された、１つまたは複数の別個のキャップ片によって、相互に結合され、
これによって、前記周辺部スロットの深さと実質的に等しい距離だけ、ハウジング内に突出するように、マーカーペンを前記キャップ内に保持することを許容するように構成されたていることを特徴とする連結部材。
【請求項１０】
前記キャップの複数の内壁が、受け入れられたマーカーペンの前記末端部のものを補完して、前記手段の動作の間、前記末端部と前記キャップとの間の相対回転を防止しまたは少なくとも抑制するような形状を有している、請求項９に記載の連結部材。
【請求項１１】
前記キャップの複数の内壁が、マーカーペンの前記末端部の複数の外壁上に形成された平坦部を補完する複数の平坦部を含む、請求項１０に記載の連結部材。
【請求項１２】
前記キャップの複数の内壁が、マーカーペンの前記末端部の複数の外壁の中または上に形成された複数のリブまたは溝をそれぞれ補完する長手方向の複数の溝またはリブを含む、請求項１０に記載の連結部材。
【請求項１３】
吸収先端が突出するカラーを有する細長い実質的に管状のハウジングを備えるマーカーペンであって、前記マーカーペンのカラーが、先行する８つのパラグラフに記載された連結部材における複数のキャップ区画部の内側に形成された同様の表面を補完する、１つまたは複数の長手方向に延びる表面を有することを特徴とするマーカーペン。
【請求項１４】
実質的に明細書中に記載され、添付図面を参照して記載されたものと同一の着色装置。
【発明の詳細な説明】
【技術分野】
【０００１】
本発明は着色装置に関する。より特別には、本発明はマーカーペンで使用するための着色装置に関する。
【背景技術】
【０００２】
通常、マーカーペンは、液体吸収芯を介して、（今後は、簡単にわかるように「染料」または「着色染料」と呼ばれる）着色染料を含む水性インクなどのインジケータ流体を含む内部チャンバに連結された繊維状のフェルト様の先端を有する管状ハウジングを含む。マーカーペンが使用されるとき、繊維状先端は、毛管現象によって、チャンバから先端に、芯を通って流れるインジケータ流体で補充される。そのようなペンは、よく知られており、とりわけ、テキストをマークし、紙または同様の材料上で着色効果をもたらすために使用される。
【０００３】
一般に、マーカーペンは単一の色をもたらすように専用に製造される。２つまたはそれ以上の色が必要な場合、通常、同じ数の個々のペンが必要になる。１つより多い先端を有するマーカーペンが提案され、これらの目的は、２つまたはそれ以上の並んだ着色された線をペンの一画で書き、または選択された色の単一の線を書くためである。そのようなマーカーペンは、ＷＯ  ９４／０９９７、ＷＯ  ０１／１５９１２、ＵＳ−Ａ−５２０３６３８、ＵＳ−Ａ−３８８７２８７、ＵＫ−Ａ−２２７７２５３に開示されている。マーカーペンはまた、単一のペンが違った幅の複数の線を書くことを可能にするために、より細い先端がより太い先端に重ねることができることが知られている。そのようなペンは、ＥＰ−Ａ−６３０３２６、ＵＳ−Ａ−５８１３７８７およびＵＳ−Ａ−５６５１６２７に開示されている。出願人の以前の出願、ＰＣＴ／ＧＢ２００４／０００８５９は、第１の色の液体または染料を含む流体吸収先端を含むケースを含むマーカーペンであって、ケースの内部が、マーカーペンがケースの開放端に挿入されたとき、同じマーカーペンを使用して、単一の線または一連のそのような複数の線に色の変化をもたらすために、マーカー先端に接触して、第２の色を与えることを可能にする第２の色の液体または染料を含む流体吸収先端を有するマーカーペンの少なくとも部分を受けるように構成されるマーカーペンを開示する。
【発明の開示】
【発明が解決しようとする課題】
【０００４】
本発明の１つの目的は、１つの線で、または連続した複数の線で、１つの色から他の色へ一様な安定した色の交換を一貫して生み出すようなマーカーペンを可能にすることができる別の装置を提供することである。
【課題を解決するための手段】
【０００５】
第１態様では、１つのマーカーペンから他のマーカーペンに液体または染料を運ぶための装置であって、装置が、第１マーカーペンの先端を含む端部と係合するような形状および大きさを有する一端と、第２マーカーペンの先端を含む端部と係合するような形状および大きさを有する他端とを有する管状連結部材であって、第１および第２部材ペンの複数の端部が、連結部材のそれぞれの端部の内部で係合するとき、複数のマーカーペン先端が、相互に間隔をあけて配置される、そのような長さである連結部材と、連結部材内の所定位置にある間、第１に、複数のペンの間の距離を短くし、複数のペン先端を接触させ、それによって、液体または染料にその間を通させ、第２に、複数のペンをその最初の複数の位置に戻し、複数のペン先端を、一方を他方との接触から解除させる複数のペンの間の相対移動を可能にするための手段とを含む装置が提供される。
【０００６】
液体は、水などの半透明の液体を含むことができ、染料は、複数の着色染料、複数の分散性顔料または複数の他の着色媒体を含む水性インジケータインクなどのを含むことができる。あるいは、着色染料は油性でよい。
【０００７】
複数のマーカーペン先端を、フェルトなどの繊維状材料から作ることができる。あるいは、１つまたはそれぞれの先端を比較的曲がらない材料から作ることができる。好ましい材料は、ＰＯＲＥＸの商標で市販されているものである。これは、紙、カードまたは同様の材料へのマーカーのように、表面に加えられたとき、形状を保持する多孔性の流体を保つ物質である。しかし、同様の物理的性質を有する他の材料を使うこともできる。
【０００８】
第２態様では、本発明は、第１の色の液体または染料を含む吸収先端を含むハウジングを有する第１マーカーペンと、第２の色の液体または染料を含む吸収先端を含むハウジングを有する第２マーカーペンであって、複数の第１および第２マーカーペンの複数のハウジングが、相互に間隔をあけて配置されるそれらの複数の吸収先端で、管状連結部材の対向する複数の端部に係合するような大きさおよび形状を有する第２マーカーペンと、連結部材内部の所定の位置にある間、複数のペンの間の相対移動を可能にし、それによって、複数の吸収先端が、連結部材内部で、互いに選択的に接触させ、複数の吸収先端を、そのような接触から解除させるための手段とを含む着色装置を提供する。
【０００９】
連結部材が、好ましくは、各開放端で、吸収先端を受けるような大きさを有し、そして、受けられたマーカーペンの末端部の複数の外壁と接触する、キャップの複数の内壁で、マーカーペンの末端部を結合するキャップと、複数のマーカーペンが複数のキャップの内部に保持されるとき、複数の吸収先端がその中に突出する２つのキャップの間に配置された管状ハウジングとをもち、連結部材の全長が、複数の吸収先端が最初はハウジングの限界内で互いから間隔を置いて配置されるが、可能化手段の動作を通して、互いに接触して選択的に配置されるようである。
【００１０】
１つの実施形態では、各キャップが、キャップの長手方向軸に垂直な、または傾斜した平面内に位置する周辺部スロットで分離された２つのキャップ区画部を含み、キャップ区画部が、キャップの側壁内に形成された開口のマージン内に、かつそこから間隔を置いて配置された少なくとも１つの脚によって結合され、開口がキャップの長手方向軸にほぼ平行に、または傾斜して位置する平面内に位置し、配置が、結合するキャップ区画部に対する１つのキャップ区画部の運動がキャップの高さを低くする効果があり、それによって、そのキャップの内部に保持されたマーカーペンがハウジング中に、周辺部スロットの深さにほぼ等しい距離だけ、突出することを可能にするようである。
【００１１】
第３実施形態では、本発明は、着色装置の複数のマーカーペンを受けるためのほぼ円筒形の細長い開放型の連結部材であって、連結部材が、その複数の開放端の各々で、吸収先端を受けるような大きさを有しており、そして、マーカーペンの末端部を結合するキャップと、複数のマーカーペンが複数のキャップの内部に保持されるとき、使用時に、複数の吸収先端がその中に突出する、２つのキャップの間に配置された管状ハウジングとを含み、各キャップが、キャップの長手方向軸に垂直な、または傾斜した平面上に位置し、かつキャップの周辺部の主要部分の周りに延び、それによって複数のキャップ区画部が、スロットの限界内で、離間された、１つまたは複数の離散したキャップ片によって、一方を他方に結合される、スロットで分離された、２つのキャップ区画部を含み、配置が、その結合するキャップ区画部に対する１つのキャップ区画部の運動がキャップの高さを低くする効果があり、それによって、そのキャップの内部に保持されたマーカーペンがハウジング中に、周辺部スロットの深さにほぼ等しい距離だけ、突出することを可能にするようである連結部材を提供する。
【００１２】
キャップの複数の内壁は、可能化手段の動作の間、末端部とキャップとの間の相対回転を防止しまたは少なくとも抑制するために、受けられたマーカーペンの末端部のものを補完するように好ましくは形成される。したがって、キャップの複数の内壁は、マーカー末端部の複数の外壁上に形成された補完する複数の平坦部を含むことができる。あるいは、キャップの複数の内壁は、マーカー末端部の外壁の中または上に形成された、それぞれ複数の溝または複数のリブを補完する長手方向の複数の溝または複数のリブを含むことができる。
【００１３】
第４の実施形態では、本発明は、吸収先端がそこから突出するカラーを有する細長いほぼ管状のハウジングを有するマーカーペンであって、マーカーペンのカラーが、前の８つの節で開示された連結部材の複数のキャップ区画部の内部に見いだされる同様の表面を補完する、１つまたは複数の長手方向に延びる表面を含むマーカーペンを提供する。
【００１４】
次に、本発明は、添付の概略の図面に関連して、例のみとして説明されるであろう。
【発明を実施するための最良の形態】
【００１５】
図１は、その複数の端部が管状連結部材２の開放端中に突出する２つのマーカーペン１を含む本発明による着色装置を示す。１つのそのようなマーカーペンが図２に示される。各マーカーペン１は、液体吸収芯（図示せず）を介して、着色された染料（今後は、簡単にわかるように染料または着色染料と呼ばれる）を含む水性インクなどのインジケータ流体を含む内部チャンバ（図示せず）に連結された、繊維状のフェルト様の吸収先端５が、そこから突出するカラー４を有する細長いほぼ管状のハウジング３を含む。図２に示すように、カラー４は、カラーの長さ方向に延びる複数の平坦な面６で形成される。
【００１６】
複数のマーカーペン先端５を、フェルトなどの繊維状材料から作ることができる。あるいは、１つまたはそれぞれの先端を比較的曲がらない材料から作ることができる。好ましい材料は、ＰＯＲＥＸの商標で市販されているものである。これは、紙、カードまたは同様の材料へのマーカーのように、表面に加えられたとき、形状を保持する多孔性の流体を保つ物質である。しかし、同様の物理的性質を有する他の材料を使うこともできる。
【００１７】
取り外し可能なキャップ７は、ペンが使用されないとき、吸収先端５を密封するために提供される。
【００１８】
図３および４からわかるように、連結部材２は管状ハウジング９で分離される複数の端部キャップ８を有する開放型の管状部材を含む。端部キャップ８の内部形状および寸法は、マーカーペン１のカラー４の形状および寸法を補完する。したがって、使用時に、各カラー４が、それぞれの端部キャップ８の内部に、相対的に滑り嵌めで嵌合することを可能にするために、連結部材２の各キャップ８の内部寸法は、カラー４の外部寸法より少し大きい。
【００１９】
図３からわかるように、各キャップ８は、周辺部スロット１４によって分離され、かつキャップの円周上でほぼ等間隔に配置された４つの長手方向に突出する脚１５（各キャップに対して、１つだけが示される）によって共に結合された、それぞれ外部および内部区画、１１および１２を含む。図示されたように、各スロット１４は、キャップの長手方向軸にほぼ垂直な平面に位置する。しかし、この平面は、キャップ長手方向軸に対して傾斜してもよい。図示されたような複数の脚は、キャップ長手方向軸に対し、ほぼ平行に延びるが、それに対して傾斜してもよい。また、各脚の形状は図示されたものと違ってもよい。各脚１５は、長さ方向に延びる開口１６の内部に配置される。複数のスロット１４、複数の開口１６および複数の脚１５の複数の寸法は、各スロット１４の対向する複数のエッジが、互いに向かって移動し、他方のキャップ区画部に対する一方のキャップ区画部の回転の時に、当接することを可能とするように選択される。他方のキャップ区画部に対する一方のキャップ区画部の回転は、スロット１４、開口１６および比較的薄い脚１５が存在することによって可能になる。
【００２０】
図４からより明らかにわかるように、複数のキャップ８および管状ハウジング９の組み合わせは、管状ケース１０の内部に配置される。各キャップ８は、複数の平らな長手方向に延びる内部表面１７（図５参照）で形成された内部管状側壁と、環状フロア１５とを有する。複数のマーカーペン１は、それらの複数のカラー４および複数の吸収先端５が連結部材２の複数のキャップ８の内部に配置された状態で、図４に示される。そのように配置されたとき、各カラーの平らな表面６はそれぞれのキャップ８内の平らな表面１７に当接し、それと係合する。この相互の係合は、複数のマーカーペン１と連結部材２との間の相対的な回転を防止する。各キャップの外部リム２１は、複数のペンが連結部材を貫入できる程度を制御するために、各マーカー１の端部面１９と係合する当接表面として作用する。図４からわかるように、格納された位置では、複数のペン先端５は管状ハウジング９の中に延びるが、比較的小さい距離だけ間隔を置いて配置される。各ペンの先端保持スリーブ２２は、ペン先端で、管状ハウジングのそれぞれの開放端の中に突出する。
【００２１】
複数の先端を移動させて互いに接触させるために、１つまたは両方のマーカー１を限定された範囲で、手で、回転させ、または捩り、それによって、一方または各々のキャップ区画部１２に対して一方または各々のキャップ区画部１１の回転をさせ、それによって、一方または各々のキャップの実効高さを低くさせて、複数の先端が、一方が他方に接触することを可能にする。数秒後、マーカーまたは複数のマーカーが解除されて、キャップ区画部が元の複数の位置に戻り、複数のマーカー先端を接触から離れるように移動する。
【００２２】
複数の先端の間の説明された限定移動を、説明されたのとは別の実施形態によって達成することもできる。したがって、スロット１４、複数の脚１５および複数の開口１６を、複数のキャップ８の代わりに、管状ハウジング９の壁の内部に配置することができる。また、１つまたは各キャップを、ハウジング９の長手方向軸にほぼ平行な方向のハウジングに対する１つまたは各キャップの限定された相対移動が可能であるように、管状ハウジングに連結することができる。したがって、複数のキャップをハウジング９と一体であることはできないが、ハウジングに向かって、またそれから離れる滑り運動は可能である。この配置では、必要な相対移動を、複数のキャップ内に保持された１つまたは両方のマーカーペンの端部に指の圧力を加えることによって、達成することができる。ばねを、指の圧力が取り除かれたとき、複数のキャップを複数の最初の位置に戻すために、各キャップ８の複数の当接端部とハウジング９との間に提供することができる。
【００２３】
説明された装置の使用では、図６に示すように、異なる複数の着色剤を含むマーカーペン１は、複数のキャップ８の複数の開放端の中に挿入される。上で説明したように、この位置では、各マーカーペン１の複数の先端は、管状ハウジング９の中に突出するが、一方は他方から間隔を置いて配置される。それから、１つまたは両方のキャップを回転させて、複数の先端の一方を他方に数秒間接触させ、それから、複数の先端を解除して引き離す。通常、接触時間は、約５秒である。
【００２４】
複数の先端の間のこの接触は、一方の先端から他方の先端への着色染色の移動を可能にする。この移動を助けるために、連結部材が、一方のマーカーペンが他方のマーカーペンより高い状態で保持されることが好ましい。連結部材２は、複数の先端の間で染料を流すために作用し、装置の外部への着色染料の漏れを防止する。複数のマーカーの先端の間で必要な接触を達成するために、１つまたは両方のマーカーペンを物理的に回転させ、または捩る必要は、着色剤の移動が比較的短いが制御された時間内にだけで行われることを保証する。また、複数のスロット４、複数の脚１５および複数の開口１６の寸法の注意深い選択によって、複数の先端の間の接触圧力を最小に抑えることができる。
【００２５】
説明された装置の使用によって、効率的で安定した色の変化が行われる。与えられた流体を有するマーカーペンが連結部材から取り外されると、それを、最初は、第１の色（他のマーカーペンから与えられた色）を示し、それが、第２の色（そのペンの元の色）を示すように次第に、安定して変化する単一の線または一連の複数の線を書くために使用することができる。線または複数の線の長さが進行するにつれて、これらの２つの極端の間の線は、色において次第に変化する。当然、複数の色の変化を、単に適切に元の、ならびに与えられた複数の色を選ぶことによって、行なうことができる。したがって、与えられた色は、例えば水でもよい。この配置では、書かれる線は、最初は透明であるが、線が進行するにつれて、次第に色が付いてくる線を本質的に含む。
【００２６】
前述のことは、本発明によるマーカーペンの単に例示であり、説明された本発明の本当の範囲から逸脱することなしに、それに様々な修正を容易に加えることができることが理解されるであろう。
【図面の簡単な説明】
【００２７】
【図１】本発明による組み立てられた着色装置の側面図である。
【図２】図１に示された装置の部分を形成するマーカーペンの側面図である。
【図３】図１に示された着色装置の部分を形成する連結部材の側面図である。
【図４】図２に示された連結部材を通して取られた長手方向断面図である。
【図５】図示された連結部材の拡大された尺度の端面図である。
【図６】組み立てられようとする、図示された連結部材およびマーカーペンを示す斜視図である。
【図１】
2008526542.tif 000003
【図２】
2008526542.tif 000004
【図３】
2008526542.tif 000005
【図４】
2008526542.tif 000006
【図５】
2008526542.tif 000007
【図６】
2008526542.tif 000008
【国際調査報告】
2008526542.tif 000009
2008526542.tif 000010
2008526542.tif 000011